(57)【特許請求の範囲】
【請求項１】
網目を有するネット基材に粘着剤が塗布されてなる捕集用ネットと、前記捕集用ネットを正しく展張した状態で保持する展張具とを備えた展張ネット捕集体であって、
前記展張具は、前記ネット基材の前記網目の配列方向に沿って延び前記捕集用ネットを収容する収容凹部をもつ枠体と、前記枠体の延び方向と平行に延び前記収容凹部に進入して前記枠体との間で前記捕集用ネットを挟持する収容部材とからなり、
前記枠体の前記収容凹部は、内底面と前記内底面の両端部から垂直方向に延びる一対の内側面とにより囲まれており、前記収容部材は、前記枠体の一対の前記内側面に対向する一対の外側面を有するとともに、
前記枠体の一対の前記内側面と前記収容部材の一対の前記外側面とで前記捕集用ネットを挟持することにより、前記捕集用ネットの前記粘着剤の粘着力と前記ネット基材の凹凸網目構造による滑り止め効果とによって前記捕集用ネットを前記枠体と前記収容部材と一体的に固定して前記捕集用ネットと前記展帳具とを一体化させていることを特徴とする展張ネット捕集体。 
【請求項２】
前記枠体は、前記内底面と一対の前記内側面とで囲まれて一方側が開口するコ字状の前記収容凹部をもち、
前記収容部材は、外底面と前記外底面の両端部から垂直方向に延びる一対の前記外側面とで囲まれて一方側が開口するコ字形状の空間部をもち、
前記枠体の前記内底面は、前記収容部材の前記空間部の開口側に配設されている請求項１記載の展張ネット捕集体。
【請求項３】
前記捕集用ネットは、前記枠体の前記一対の内側面と、前記収容部材の一対の前記外側面との互いに対面する部分の全体で挟持されている請求項１又は２に記載の展張ネット捕集体。
【請求項４】
前記展張具は、前記捕集用ネットの相対する一対の端縁部をそれぞれ保持する請求項１〜３のいずれか１項に記載の展張ネット捕集体。
【請求項５】
前記ネット基材は、熱可塑性樹脂製モノフィラメントが弧を描きながら相互に隣り合う弧をくぐり抜け、前記弧によって形成される緩い空間部を有する網脚をもち、この複数の網脚間を、熱可塑性モノフィラメントで平行状に連結して網目を形成し、該網目の中を熱可塑性モノフィラメントで斜め状、平行状又はＸ字状に区切っている請求項１〜４のいずれか１項に記載の展張ネット捕集体。
【発明の詳細な説明】
【技術分野】
【０００１】
本発明は、展張ネット捕集体に関し、特に浮遊ダストを捕集する展張ネット捕集体に関する。
【背景技術】
【０００２】
自動車、家具等の塗装工場、食品製造工場、精密機械製造工場、電気部品製造工場等の工場では、製造環境を衛生に保つため、ダスト、粉塵、塗料ミスト等を捕集する捕集用ネットが展張されている。特開２００２−２３３８００号公報、特許第３９５９４８５号公報、特許第３１３１８２０号公報、特開２００７−６７２２号公報に開示されているように、特許出願人は、捕集用ネットとして、ネット基材に粘着剤を塗布したものを開発した。
【０００３】
これらの捕集用ネットを設置場所に展張するにあたっては、例えば、図８に示すように、室内天井近くの相対向する壁部からワイヤー９１を展張し、捕集用ネット９０の網目とワイヤー９１とに不連続ではあるが細かいピッチでフック９２を係止することによりワイヤー９１に捕集用ネット９０を取り付けたり、細紐などで捕集用ネット９０の網目とワイヤー９１を相互に縫い合わせることで、ワイヤー９１に捕集用ネット９０を均等に取り付けたりする。
【０００４】
一方、網戸の枠体への取り付け方法を、捕集用ネットに適用することも考えられる。具体的には、図９に示すように、棒状に延びる枠体９５内に捕集用ネット９０を収容した後に、細長いゴム９４を枠体９５に押し込んで捕集用ネット９０を枠体９６と押さえゴム９４とで挟持する。枠体９５の両側立壁の開口端部にリップ部９５ａを取り付けて押さえゴム９４を保持する。捕集用ネット９０を取り付けた枠体９５を、室内の天井近傍の壁に固定すると、捕集用ネット２は枠体９６の延び方向に展張される。
【先行技術文献】
【特許文献】
【０００５】
【特許文献１】特開２００２−２３３８００号公報
【特許文献２】特許第３９５９４８５号公報
【特許文献３】特許第３１３１８２０号公報
【特許文献４】特開２００７−６７２２号公報
【発明の概要】
【発明が解決しようとする課題】
【０００６】
ところで、捕集用ネットは、室内に展張しておくと、次第にダストで汚れてくる。このため、定期的に新品に取り替える必要がある。
【０００７】
しかしながら、第１の方法では、捕集用ネットを取り替えるにあたっては、捕集用ネット９０から直接取り付けられた多数のフック９２を一つ一つ取り外す必要があり、手間がかかった。また、捕集用ネット９０が正しく展張されないため、捕集用ネット９０に縦シワが入り、網目が十分に開口されずに、ネット全体もウェーブ状になる場合があった。このように正しく展張されていない捕集用ネットでは、ダストの捕集効率が低かった。
【０００８】
第２の方法では、押さえゴム９４は、枠体９５に取り付けられたリップ部９５ａで保持されているため、枠体９５内に押さえゴム９４を進入させたり取り外したりする作業が煩わしかった。また、網戸ではネットの四方を枠体で保持しているので、ネットははずれにくく、また、押さえゴムに加わる荷重はそれほど大きくない。これに対して、網戸で用いられている枠体９５を捕集用ネット９０の展張に適用した場合には、捕集用ネット９０の上部を保持する枠体９５には、捕集用ネット９０の重量が集中するため、枠体９５と押さえゴム９４とでは、大型で重量の重い捕集用ネット９０がはずれやすく、確実に吊り下げることができなかった。そもそも、本来、捕集用ネット９０は、大型であり、工場空間を大きく間仕切りしつつ利用するものである。このため、捕集用ネット９０の四方を長尺な押さえゴム９４と枠体９５とで挟持して展張すること自体に無理があり、捕集用ネット９０の取り替えに非常な手間がかかり、実用上不可能に近いものであったし、また、捕集用ネット９０の網目を正しく開放せしめて展張することも不可能であった。
【０００９】
そこで、発明者は、ネット基材に粘着剤を塗布してなる捕集ネットの特性を生かして、簡易に取り替えをすることができる展張ネット捕集体を鋭意探求した。
【００１０】
本発明はかかる事情に鑑みてなされたものであり、捕集用ネットの取り替え作業を簡素に行うことができ、且つ捕集用ネットを正しく展張することができる展張ネット捕集体を提供することを課題とする。
【課題を解決するための手段】
【００１１】
（１）本発明の展張ネット捕集体は、網目を有するネット基材に粘着剤が塗布されてなる捕集用ネットと、前記捕集用ネットを正しく展張した状態で保持する展張具とを備えた展張ネット捕集体であって、
前記展張具は、前記ネット基材の前記網目の配列方向に沿って延び前記捕集用ネットを収容する収容凹部をもつ枠体と、前記枠体の延び方向と平行に延び前記収容凹部に進入して前記枠体との間で前記捕集用ネットを挟持する収容部材とからなり、
前記枠体の前記収容凹部は、内底面と前記内底面の両端部から垂直方向に延びる一対の内側面とにより囲まれており、前記収容部材は、前記枠体の一対の前記内側面に対向する一対の外側面を有するとともに、
前記枠体の一対の前記内側面と前記収容部材の一対の前記外側面とで前記捕集用ネットを挟持することにより、前記捕集用ネットの前記粘着剤の粘着力と前記ネット基材の凹凸網目構造による滑り止め効果とによって前記捕集用ネットを前記枠体と前記収容部材と一体的に固定して前記捕集用ネットと前記展帳具とを一体化させていることを特徴とする。
【００１２】
上記構成によれば、枠体と収容部材とで捕集用ネットを挟持している。枠体に形成された収容凹部には、捕集用ネットと収容部材とが収容されて、枠体と収容部材との間で捕集用ネットが挟持されている。捕集用ネットは、ネット基材に粘着剤が塗布されたものである。このため、枠体の内側面と収容部材の外側面とが、捕集用ネットの粘着剤の粘着力と、ネット基材の凹凸網目構造による滑り止め効果とにより密着する。したがって、捕集用ネットが、枠体と収容部材とで保持されることで、正しく網目を開放した状態で展張される。
【００１３】
また、枠体の収容凹部は、内底面と内底面から垂直方向に延びる一対の内側面とにより囲まれており、収容部材は、枠体の一対の内側面に沿った一対の外側面を有する。このため、収容凹部への捕集用ネットや収容部材の進退が容易となり、捕集用ネットの取り替え作業性がよい。また、収容部材の枠体への接触面積が増え、強固に捕集用ネットを固定することができる。
【００１４】
また、捕集用ネットを新品に取り替えるには、収容部材の一端部を把持し、これを収容凹部から取り外す。すると、収容部材全体が収容凹部から取り外される。収容部材が外れた後には、捕集用ネットを収容凹部から容易に取り外すことができる。そして、新品の捕集用ネットを枠体の収容凹部に収容し、更に収容部材で捕集用ネットを枠体に押し付ける。これにより、新品の捕集用ネットは、粘着剤の粘着力とネット基材の凹凸網目構造による滑り止め効果とによって、枠体と収容部材との間に固定される。
【００１５】
本発明では、枠体と収容部材と捕集用ネットとを、凹凸嵌合などの一体化のための構造上の工夫をすることなく、粘着剤の粘着力とネット基材の凹凸網目構造とによって一体化している。ゆえに、枠体と収容部材との形状を簡素化でき、また、捕集用ネットを正しく展張することができ、捕集用ネットの取り替え作業性にも優れる。
【００１６】
（２）前記枠体は、前記内底面と一対の前記内側面とで囲まれて一方側が開口するコ字状の前記収容凹部をもち、前記収容部材は、外底面と前記外底面の両端部から垂直方向に延びる一対の前記外側面とで囲まれて一方側が開口するコ字形状の空間部をもち、前記枠体の前記内底面は、前記収容部材の前記空間部の開口側に配設されていることが好ましい。
【００１７】
この場合には、捕集用ネット及び収容部材の収容凹部への進退が容易となる。また、枠体の底部にフック、係止具などの取付具をはめ込むときにも、収容部材と干渉することなく、取付具の一部を枠体の収容凹部内へ突出させることができ、取付具を枠体に確実に固定することができる。
【００１８】
（３）前記捕集用ネットは、前記枠体の前記一対の内側面と、前記収容部材の一対の前記外側面との互いに対面する部分の全体で挟持されていることが好ましい。この場合には、枠体の一対の内側面と収容部材の一対の外側面との互いに対面する部分の全体に捕集用ネットが配設される。このため、枠体の一対の内側面と収容部材の一対の外側面との互いに対面する部分の全体を、粘着剤の粘着力とネット基材の凹凸網目構造とによって、強固に密着させることができる。
【００１９】
（４）前記展張具は、前記捕集用ネットの相対する一対の端縁部をそれぞれ保持することが好ましい。この場合には、捕集用ネットの相対する一対の端縁部が展張具で保持されるため、捕集用ネット全体を見栄えよく展張することができる。
【００２０】
（５）前記ネット基材は、熱可塑性樹脂製モノフィラメントが弧を描きながら相互に隣り合う弧をくぐり抜け、前記弧によって形成される緩い空間部を有する網脚をもち、この複数の網脚間を、熱可塑性モノフィラメントで平行状に連結して網目を形成し、前記網目の中を熱可塑性モノフィラメントで斜め状、平行状又はＸ字状に区切っていることが好ましい。
【００２１】
この場合には、粘着剤の皮膜は面積が広くなり、粘着剤の皮膜面積を効率的かつ広く形成することができる。このため、微小のダスト等の付着が向上し、通過せんとするダスト等の捕捉量は大になる。さらに粘着剤の皮膜はランダムに発生するためにダスト等の大小に関係することなく全体としてこのダスト等の捕集量も多くなる。
【００２２】
また、熱可塑性合成樹脂製モノフィラメントを用いることによって、モノフィラメントの表面が平滑で、かつ剛性を発揮させることができる。また、捕集用ネットは、その上側及び下側の端縁部に取り付けられる展張具で正しく展張させることにより、所望の網目形状に正しく展開することができる。これらのことにより、捕集用ネットの空気の通過性が良好になり、空気の通過を阻害することなく、ダストの捕集量を多くすることができる。
【発明の効果】
【００２３】
本発明の展張ネット捕集体によれば、ネット基材に粘着剤を塗布してなる捕集用ネットを、枠体に形成した収容凹部に収容し、枠体と収容部材とで挟持することで、粘着剤の粘着力とネット基材の凹凸網目構造とにより、捕集用ネットを上下にわたり枠体と収容部材と一体的に固定している。このため、捕集用ネットは、所望の形状に網目を開くことができ、捕集用ネットの新規交換を簡単に行うことができる。また、捕集用ネット全体を正しく展張せしめ、ダストの捕集効率を向上させることができるとともに、ダストの付着した使用後の捕集ネットを新品に簡便に取り替えることができる。
【図面の簡単な説明】
【００２４】
【図１】本発明の実施形態に係る展張ネット捕集体の斜視図である。
【図２】本実施形態に係る展張ネット捕集体の要部拡大断面図である。
【図３】本実施形態に係る捕集用ネットの平面説明図である。
【図４】本実施形態のネット基材の寸法関係を説明するためのネット基材の平面説明図である。
【図５】本実施形態に係る他の捕集用ネットの平面説明図である。
【図６】本実施形態に係る、展張ネット基材の製造方法を示す説明図である。
【図７】本実施形態に係る、収容部材の枠体からの取り外し方法を示す説明図である。
【図８】従来例に係る展張ネット捕集体の平面図である。
【図９】他の従来例にかかる展張ネット捕集体の要部断面図である。
【発明を実施するための形態】
【００２５】
本発明の実施形態について図面を用いて説明する。図１に示すように、本実施形態に係る展張ネット捕集体１は、工場の設置場所に、直列に複数が配列されている。各展張ネット捕集体１は、捕集用ネット２と、捕集用ネット２の上側及び下側の端縁部に設けられた展張具３とを備えている。捕集用ネット２は、展張具３により正しく展張されている。ここで、「正しく展張」とは、捕集用ネット２の網目にゆがみがなく、網目を展開させた状態で、皺が生じることなく、また波状の凹凸が生じることなく平面状に捕集用ネット２を展張させることをいう。
【００２６】
図２に示すように、捕集用ネット２は、網目２０を有するネット基材２１と、ネット基材２１に塗布された粘着剤２８とを有する。
【００２７】
ネット基材２１は、所望の幅を有し長尺で、かつフレキシブルに形成されている。本実施形態では、ネット基材２１の幅、高さは、２ｍ、３ｍである。ネット基材２１は、例えば塩化ビニル、塩化ビニリデン、ポリオレフィン、ナイロン等の熱可塑性樹脂のモノフィラメント、マルチフィラメント又はその集合体（撚糸等）によって編網してある。合成樹脂の中でも熱可塑性樹脂は再利用（リサイクル）が比較的容易であるが、その中でも、塩化ビニルや塩化ビニリデンのネットを用いると、ナイロンやポリオレフィン等に比してダスト等が付着しても、再利用に支障を来さず、かつ再利用がきわめて容易であり最も利用価値が高く、一方、ポリオレフィン又はナイロン等のネットを用いると取り扱い性及び強度の点で良好となる。
【００２８】
ネット基材２１の網目構造としては、例えば平織り、ラッセル織り、魚網等に見られる蛙又織り、無結節織り又は撚網等いずれでもよく、また角部が直角の四角形である角目、又は、角部が直角ではない四角形である菱目のいずれでもよい。好ましくは、ネット基材２１の網目は、角目がよい。
【００２９】
粘着剤２８は、ネット基材２１に塗布してある。この粘着剤２８としては、アクリル系、天然ゴム系、ＳＢＲ、ブロックＳＩＳ、シリコンゴム系等を用いると、粘着力が高く、かつ粘着力の持続期間が長いので好ましい。粘着剤２８の性能としては下記の範囲がよい。
粘着力（ｇ） ２００〜７００（JIS Ｚ０２３７に準拠）
Ｐ．タック（ｇ） ２００〜７００（JIS Ｚ０２３７参考欄に準拠）
剥離力（ｇ） ５〜 ２０（JIS Ｚ０２３７に準拠）
ボールタック ５〜 ２０（JIS Ｚ０２３７に準拠）
ネット基材２１における網目のサイズについて述べる。図３に示すように、例えば、１個の網目２０は通常４本の網脚２５によって形成されるが、そのうち相対向する一対の網脚２５の長さを各Ｌとし、この網脚２５の見掛け分径（直径）をＤとし、他の相対向する一対の網脚２５の長さをＬ’とし、この網脚２５の見掛け分径をＤ’とすると、ＬとＬ’によって囲まれた空隙Ｋが網目２０となる。ここで、（１）０．１ｍｍ≦Ｄ＜２．５ｍｍ、（２）２．０ｍｍ≦Ｌ＜８．０ｍｍであって、（３）２＜Ｌ／Ｄ＜３５の範囲が好ましい。この場合には、捕集用ネット２の通気性がよく、ネット基材２１の網脚２５によりダスト等を含む空気が効果的に濾過されることになるため、浮遊するダスト等の捕捉量を大幅に高めることができる。
【００３０】
粘着剤２８は、ネット基材２１の網脚２５に付着している。ネット基材２１の網目２０の周縁には粘着剤２８が付着し、網目２０の中央部分は開口させている。網目２０に開口した中央部分を空気が通り抜ける。この際に空気中に浮遊するダストが、網目２０周辺に付着している網脚２５に引っかかり、粘着剤２８で捕集される。
【００３１】
粘着剤２８のネット基材２１への付着量は、ネット基材１ｍ２当たり、５０〜１８０ｇであることが好ましく、更には、１００〜１５０ｇであることが望ましい。この場合には、ネット基材２１に粘着剤２８が十分量付着して、枠体５と収容部材６とを強固に密着させることができる。
【００３２】
また、図４に示すように、相対向する一対の網脚２５には、網目２０を平行状、斜め状又はＸ字状に横断する架橋部２６で連結されていてもよい。この場合には、ダストの捕集効率が更に向上する。また、ネット基材２１の単位面積に対する粘着剤２８の付着量が増え、捕集用ネット２が枠体５と収容部材６とに更に強固に密着することができる。
【００３３】
ネット基材２１は、熱可塑性樹脂製モノフィラメントが弧を描きながら相互に隣り合う弧をくぐり抜け、弧によって形成される緩い空間部を有する網脚２５をもつ。この複数の網脚２５間を、熱可塑性モノフィラメントで平行状に連結して網目を形成し、網目の中を熱可塑性モノフィラメントで斜め状、平行状又はＸ字状の比較的細い架橋部になっていてもよい。この場合には、粘着剤の皮膜は面積が広くなり、微小のダスト等の付着が向上し、通過せんとするダスト等の捕捉量は大になる。さらに粘着剤の皮膜はランダムに発生するためにダスト等の大小に関係することなく全体としてこのダスト等の捕捉量も多くなる。また熱可塑性合成樹脂製モノフィラメントを用いることによって、モノフィラメントの表面が平滑で、かつ剛性を発揮させることができ、このことにより空気の通過性が良好になり、所望外の部分で空気の通過を阻害することがない。フィラメントは剛性を有することによって網脚部分のループ形状を形成することができるとともに、保持することが容易であり、粘着剤の皮膜面積を効率的かつ広く形成することができる。
【００３４】
図５に示すように、展張具３は、枠体５と、収容部材６とを備えている。枠体５は、アルミニウム材からなり、直線状に延び、コ字状の断面形状を呈し内部に収容凹部５０を有する。図１に示すように、枠体５は、ネット基材２１の網目２０の配列方向Ｌに沿って配置されている。即ち、枠体５は、網目２０を構成している網脚２５の延び方向に沿って配置されている。ここで、「網目２０の配列方向に沿って」とは、網目２０の配列方向Ｌと平行な方向のみならず、若干傾斜している場合も含まれる。例えば、網目２０の配列方向に対して±２０°以内、好ましくは±１０°以内の誤差は許容される。「網脚２５の延び方向に沿って」も、同様に、網脚２５の延び方向に対して若干の傾斜は許容される。
【００３５】
図５に示すように、枠体５は、コ字断面形状を呈しており、内底面５ｂと、内底面５ｂの両端部から立設された一対の内側面５ａとからなる。枠体５の外形の幅、高さ、長さは、例えば、１５ｍｍ、１５ｍｍ、２ｍであり、枠体５の厚みは２．０ｍｍである。
【００３６】
収容部材６は、アルミニウム材からなり、枠体５の収容凹部５０に収容可能な大きさのコ字断面形状を呈している。収容部材６は、外底面６ｂと、外底面６ｂの両端部から立設された一対の外側面６ａとからなる。収容部材６の外形の幅、高さ、長さは、１０ｍｍ、１０ｍｍ、２ｍであり、枠体５とほぼ相似形をなしている。収容部材６の外底面６ｂの両端部から立設する一対の外側面６ａの全体は、コ字状の枠体５の一対の内側面５ａの全体に対面している。収容部材６の一対の外側面６ａと、枠体５の一対の内側面５ａとの間には、捕集用ネット２の厚み分にほぼ等しい間隔があいている。本実施形態では、収容部材６の左右両側の外側面６ａと枠体５の左右両側の内側面５ａとの間には、それぞれ０．５ｍｍの厚みＡの隙間があいている。この隙間に、捕集用ネット２が配置されている。
【００３７】
収容部材６は、枠体５の延び方向と平行に延び収容凹部５０に進入して枠体５との間で捕集用ネット２を挟持している。枠体５の一対の内側面５ａと収容部材６の一対の外側面６ａとは、捕集用ネット２の粘着剤２８の粘着力と、ネット基材２１の凹凸網目構造による滑り止め効果とによって密着している。ネット基材２１には、網目２０と網目２０を囲む編脚２５とにより、凹凸形状が形成されている。捕集用ネット２は、この凹凸形状により、枠体５と収容部材６との間に滑ることなく確実に挟持されており、枠体５と収容部材６とから離れる方向に手で引っ張っても、枠体５と収容部材６とからずり出されない程度に強固に保持されている。
【００３８】
捕集用ネット２は、上側の展張具３と下側の展張具３に対して、ネット基材２１に付着している粘着剤２８の粘着力とネット基材２１の凹凸網目構造による滑り止め効果とによって保持されている。なお、安全のために、捕集用ネット２の上側の端縁部は、展張具３に対して、インシュロックや紐で縛り付けてもよい。
【００３９】
図１、図５に示すように、捕集用ネット２の上側の端縁部に設ける展張具３は、枠体５の上部の２箇所に、無端状に形成されたフック部材５８が固定されている。各フック部材５８は、半円弧状に湾曲する係止具５９に連結されている。係止具５９の両端部は、枠体５に穿設された取付孔５ｍに貫挿されて、枠体５の内底面５ｂから収容凹部５０に数ｍｍ程度突出させた状態で取付孔５ｍ周縁にボルト締結により固定されている。枠体５の内底面５ｂは、収容部材６の内部に形成された空間部６６の開口側に配設されている。このため、枠体５の内底面５ｂから若干突出した係止具５９は収容部材６と干渉することはなく、枠体５に確実に固定することができる。
【００４０】
室内の壁部には直径３ｍｍ程度のワイヤー７が固定されている。ワイヤー７にフック部材５８が外挿されることで、展張ネット捕集体１がワイヤー７に取り付けられている。ワイヤー７には、複数の展張ネット捕集体１が直列に取り付けられている。なお、ワイヤー７に代えて、パイプを用いても良い。
【００４１】
次に、展張ネット基材の製造方法について説明する。まず、図６に示すように、捕集用ネット２の上側の端縁部を枠体５の収容凹部５０の開口側にあてがう。枠体５の延び方向は、捕集用ネット２のネット基材２１の網目の配列方向Ｌと平行に揃える。このとき、捕集用ネット２は、枠体５から、若干の幅分（例えば２０ｍｍ程度）はみ出すように配置するとよい。
【００４２】
次に、ネット基材２１をあてがった収容凹部５０に、収容部材６を進入させ、枠体５の内底面に向かって収容部材６を押し付ける。これにより、収容部材６と枠体５との間に捕集用ネット２が挟持されて、枠体５の一対の内側面５ａと収容部材６の一対の外側面６ａとが、捕集用ネット２の粘着剤２８の粘着力とネット基材２１の凹凸網目構造による滑り止め効果とによって密着固定される。なお、捕集用ネット２の枠体５からのはみ出し分をはさみやナイフで切り落とすと、見栄えがよくなる。
【００４３】
捕集用ネット２は、所定期間使用すると、ダストが付着して汚れてくる。そこで、所定期間経過後には、新品に取り替えることがよい。捕集用ネット２を新品に取り替える方法について説明する。まず、図７に示すように、収容部材６の端部６０を把持し、枠体５から取り外す。収容部材６は剛体であるため、収容部材６の端部６０を枠体５から取り外すことにより、収容部材６の全体が枠体５から外れる。収容部材６が外れた後に、枠体５から捕集用ネット２を取り外す。捕集用ネット２には、粘着剤が付着しているため、捕集用ネット２を枠体５から外すときに、捕集用ネット２を枠体５から引っ張り出すようにして若干負荷をかけることで、容易に外すことができる。その後、上記の取り付け方法に従って、新品の捕集用ネット２に展張具３を取り付ける。
【００４４】
捕集用ネット２の展張具３への保持力を評価した。その評価に当たっては、ネット基材２１の網脚２５の見掛け分径Ｄを０．１ｍｍ以上２．５ｍｍ未満、網脚２５の長さＬを２．０ｍｍ以上８．０ｍｍ未満とし、Ｌ／Ｄを２を超えて大きく３５未満とした。粘着剤２８のネット基材２１への付着量を、ネット基材１ｍ２当たり５０〜１８０ｇとした。展張具３の枠体５の外形の幅、高さ、長さは、１５ｍｍ、１５ｍｍ、２ｍとし、枠体５の厚みは２．０ｍｍとした。収容部材６の外形の幅、高さ、長さは、１０ｍｍ、１０ｍｍ、２ｍであり、枠体５とほぼ相似形を呈するようにした。捕集用ネット２をあてがった枠体５に、収容部材６を手で押さえつけることにより、捕集用ネット２を枠体５と収容部材６とで挟持した。その後に、捕集用ネット２を展張具３から手で引き出そうとしたが、捕集用ネット２は、全く引き出せなかった。また、この捕集用ネット２を展張具３に保持させてなる展張ネット捕集体１を室内に展張したところ、浮遊ダストを十分に捕集することができた。
【００４５】
一方、粘着剤２８のネット基材２１への付着量を、ネット基材１ｍ２当たり５０ｇ未満に変更した場合には、捕集用ネット２を展張具３から引っ張り出そうとしたところ、捕集用ネット２は若干引き出された。そうして、捕集用ネット２全体は落下しないまでも、全体形状が歪んでしまい、網目の展張が不十分となって、ダストの捕集性能も低下した。
【００４６】
本実施形態においては、棒状の枠体５と収容部材６とを用いて捕集用ネット２を挟持している。枠体５に形成された収容凹部５０には、捕集用ネット２と収容部材６とが収容されて、枠体５と収容部材６との間で捕集用ネット２が挟持されている。捕集用ネット２は、ネット基材２１に粘着剤２８が塗布されたものである。このため、枠体５の内側面５ａと収容部材６の外側面６ａとが捕集用ネット２の粘着剤２８により密着する。
【００４７】
更に、ネット基材２１は、網目構造による凹凸形状を呈している。このため、捕集用ネット２が、枠体５と収容部材６との間から抜け出ることが防止される。それゆえ、捕集用ネット２が、枠体５と収容部材６とで正しく展張された状態で保持される。
【００４８】
また、枠体５と収容部材６と捕集用ネット２とを、凹凸嵌合などの一体化のための構造上の工夫をすることなく、捕集用ネット２に付着している粘着剤２８の粘着力とネット基材２１の網目凹凸形状による滑り止め効果とによって一体化している。ゆえに、枠体５と収容部材６との形状を簡素化でき、また捕集用ネット２の取り替え作業性も優れる。
【００４９】
また、展張具３は、捕集用ネット２の上側と下側の両端縁部に設置されている。このため、捕集用ネット２の全面が、ほぼ平面状に広げられ、網目が正しく開き、捕集用ネット２全体が正しく展張される他、展張ネット捕集体１間の隙間が少なく、展張ネット捕集体１を境にして、展張ネット捕集体１の表裏をダストがすり抜けることを防止することができる。
【００５０】
上記実施形態においては、展張具３は、捕集用ネット２の上側及び下側の両端縁部に設置しているが、上側の端縁部のみに設置することも可能である。
【産業上の利用可能性】
【００５１】
本発明は、衛生が要求される場所であればどのような場所にも設置される。例えば、自動車、家具等の塗装工場、食品製造工場、精密機械製造工場、電気部品製造工場等の工場において、有効に用いられる。
【符号の説明】
【００５２】
１：展張ネット捕集体、２：捕集用ネット、３：展張具、５：枠体、５ａ：内側面、５ｂ：内底面、６：収容部材、６ａ：外側面、６ｂ：内底面、７：ワイヤー、２０：網目、２１：ネット基材、２５：網脚、２６：架橋部、２８：粘着剤、５０：収容凹部、５８：フック部材、６０：端部。
【図１】
0005575628.tif 000002
【図２】
0005575628.tif 000003
【図３】
0005575628.tif 000004
【図４】
0005575628.tif 000005
【図５】
0005575628.tif 000006
【図６】
0005575628.tif 000007
【図７】
0005575628.tif 000008
【図８】
0005575628.tif 000009
【図９】
0005575628.tif 000010